(57)【要約】【課題】居住者ニーズに柔軟に対応することができる特にアパート向けキッチンとして有効なユニット型キッチンを提供する。【解決手段】このユニット型キッチンは、複数種類の機能別ユニット１〜７が予め用意され、これら機能別ユニット１〜７を選択的に組み合わせることで、バリエーション展開を可能としたものであって、各機能別ユニット１〜７は、略直方体状に形成されて寸法形状が統一され、その四方側面に表面仕上げが施されて、単独での設置を可能としてある。これにより、ベーシックな２列配置キッチンからアイランドキッチンといった様々なバリエーション展開が可能となっている。【選択図】図１
2008099934.tif 000002
【特許請求の範囲】
【請求項１】
複数種類の機能別ユニット（１）〜（７）が予め用意され、これら機能別ユニット（１）〜（７）を選択的に組み合わせることで、バリエーション展開を可能としたユニット型キッチンであって、各機能別ユニット（１）〜（７）は、略直方体状に形成され、その四方側面に表面仕上げが施されて、単独での設置を可能としてあることを特徴するユニット型キッチン。
【請求項２】
各機能別ユニット（１）〜（７）の幅寸法及び奥行き寸法が統一されている請求項１記載のユニット型キッチン。
【請求項３】
各機能別ユニット（１）〜（７）の高さ寸法が統一されている請求項２記載のユニット型キッチン。
【請求項４】
前記機能別ユニット（１）〜（７）として、シンク（１ａ）を備えた水場ユニット（１）、加熱調理器（２ａ）を備えた火廻りユニット（２）、作業台（３ａ）を備えた作業スペースユニット（３）、食器洗浄機（４ａ）を備えた食器洗浄機ユニット（４）、各種家電製品（５ａ）・・の収納を可能にした家電収納ユニット（５）、前記家電収納ユニット（５）を載置可能な一般収納ユニット（６）、ゴミ箱（７ａ）・・を備えたゴミ箱ユニット（７）が用意されている請求項１乃至３のいずれかに記載のユニット型キッチン。
【発明の詳細な説明】
【技術分野】
【０００１】
この発明は、複数種類の機能別ユニットを選択的に組み合わせることで構成される主として低層集合住宅(アパート)向けのユニット型キッチンに関する。
【背景技術】
【０００２】
一般に、アパートの台所には、間口や奥行き寸法が狭いことから、数種類のユニットを横一列に組み合わせて構成された単純なＩ型キッチンが設置されている場合が殆どである。このようなアパート向けのキッチンのバリエーションとしては、例えば単身向けアパートの台所に対してはミニキッチン、ファミリー向けアパートの台所に対しては横幅１８００ｍｍのキッチンといったように、台所の間口寸法に対応するようにサイズの異なるものが用意されているだけで、単純にサイズダウンしたものとなっていた。
【０００３】
一方、戸建て住宅向けのキッチンとしては、例えば特許文献１や特許文献２にも開示されているように、複数種類の機能別キッチンの中から居住者が適宜選択した機能別キッチンを組み合わせて構成したものがある。
【０００４】
【特許文献１】特開２００１−２９２８４１号公報
【特許文献２】特開２００３−３３９４５９号公報
【発明の開示】
【発明が解決しようとする課題】
【０００５】
従来のアパート向けのキッチンでは、台所の間口寸法に対応してサイズの異なるものが用意されているだけあり、しかも各サイズのキッチンを比べると、キッチンを構成するユニットの扉の表面意匠やユニットに装備してある各種機器の表面意匠等が異なる程度であって、画一的なバリエーション展開となっていた。すなわち、居住者のライフスタイルや好みに応じたバリエーション展開がなされておらず、個性化、多様化する居住者ニーズに柔軟に対応することができなかった。
【０００６】
さらに、このように間口寸法に応じてバリエーション展開した場合、それだけサイズの異なる複数のユニットを用意しておく必要があり、またユニットの運搬に際しての梱包材の種類も多くなることから、コスト高を招いていた。
【０００７】
一方、戸建て住宅向けのキッチンでは、居住者が適宜選択した機能別ユニットを組み合わせて構成することで、居住者の生活スタイルや好みに応じたバリエーション展開が可能となっているが、機能別ユニットとしては横一列に並べて組み合わせる仕様が一般的であり、例えば台所の対向する２壁面や直交する２壁面に分かれて配置したり、さらには台所中央にアイランド状に配置するといったように必要機能を必要箇所に合理的に配置することができなかった。このため、戸建て住宅向けのキッチンの考え方をアパート向けのキッチンに適用しても、依然として個性化、多様化する居住者ニーズに十分に対応することが困難であった。
【０００８】
そこで、この発明は、上記不具合を解消して、居住者ニーズに柔軟に対応することができる特にアパート向けキッチンとして有効なユニット型キッチンの提供を目的とする。
【課題を解決するための手段】
【０００９】
上記課題を解決するため、この発明のユニット型キッチンは、複数種類の機能別ユニット１〜７が予め用意され、これら機能別ユニット１〜７を選択的に組み合わせることで、バリエーション展開を可能としたものであって、各機能別ユニット１〜７は、略直方体状に形成され、その四方側面に表面仕上げが施されて、単独での設置を可能としてあることを特徴する。
【００１０】
具体的には、各機能別ユニット１〜７の幅寸法及び奥行き寸法、さらに高さ寸法が統一されている。
【００１１】
また、前記機能別ユニット１〜７として、シンク１ａを備えた水場ユニット１、加熱調理器２ａを備えた火廻りユニット２、作業台３ａを備えた作業スペースユニット３、食器洗浄機４ａを備えた食器洗浄機ユニット４、各種家電製品５ａ・・の収納を可能にした家電収納ユニット５、前記家電収納ユニット５を載置可能な一般収納ユニット６、ゴミ箱７ａ・・を備えたゴミ箱ユニット７が用意されている。
【発明の効果】
【００１２】
この発明のユニット型キッチンは、前後左右を問わない単独での設置を可能とした機能別ユニットを最小単位として、これら機能別ユニットを選択的に組み合わせることで、現行のＩ型キッチンでは対応できないようなベーシックな２列配置キッチンからアイランドキッチンといった様々なバリエーション展開が可能となっている。これにより、アパート等の台所のような狭小空間においても、必要機能を必要箇所に合理的に配置することができ、個性化、多様化する居住者ニーズに柔軟に対応することができる。
【００１３】
また、アパートやマンション等の賃貸住宅に適用した場合には、居住者入れ換え時におけるメンテナンスにおいて、キッチン一式を取り替える必要はなく、機能別ユニット単位で更新することができる。しかも、機能別ユニットに搭載若しくは収納する各種機器の新機種への対応が、キッチン全体ではなく、機能別ユニット単位で可能となる。従って、ランニングコストを抑えて、賃貸住宅のオーナーの負担を軽減することができる。
【００１４】
さらに、機能別ユニットの寸法形状を統一したことによって、各種の機能別ユニットの運搬に際して共通の梱包材を用いて品種を削減でき、梱包材の共通化及び再利用化を実現して、より一層のコストダウンを図ることができる。
【発明を実施するための最良の形態】
【００１５】
この発明の実施の形態について、図面を参照しつつ詳細に説明する。この発明の一実施形態に係るユニット型キッチンは、主として低層集合住宅(アパート)における間口や奥行き寸法の限られた狭小の台所に設置されるものである。このユニット型キッチンは、予め用意された複数種類の機能別ユニット１〜７を備えており、これら機能別ユニット１〜７を選択的に組み合わせることで、居住者の生活スタイルや好みに応じたバリエーション展開が可能となっている。
【００１６】
機能別ユニット１〜７としては、図１に示すように、シンク１ａを備えた水場ユニット１、ガスコンロや電磁調理器等の加熱調理器２ａを備えた火廻りユニット２、作業台３ａを備えた作業スペースユニット３、食器洗浄機４ａを備えた食器洗浄機ユニット４、各種家電機器５ａ・・の収納を可能にした家電収納ユニット５、この家電収納ユニット５を載置可能な一般収納ユニット６、ゴミ箱７ａ・・を備えたゴミ箱ユニット７が用意されている。
【００１７】
各機能別ユニット１〜７は、略直方体状に形成され、それらの幅寸法、奥行き寸法及び高さ寸法がほぼ等しくなっている。また、各機能別ユニット１〜７は、その四方側面に表面仕上げが施されて、単独での設置が可能となっている。すなわち、これら機能別ユニット１〜７は、寸法が統一された前後左右を問わない形態となっており、現行のＩ型キッチンでは対応できないような、単独での使用を含めたフレキシブルな組み合わせが可能となっている。
【００１８】
例えば、水場ユニット１では、図２に示すように、その前後左右の側面に防水性の化粧板１ｂ・・が取り付けられ、シンク１ａの開口部周りには水返しが形成されている。また、作業スペースユニット３は、図３に示すように、平板状の作業台３ａの下方に、四方向からの収納物の出し入れを可能とする収納棚３ｂ、３ｂを設けたオープンな形状となっている。なお、一般収納ユニット６も、同様にオープンな形状としても良い。
【００１９】
図４は、上記ユニット型キッチンのプランバリエーション展開例を示している。例えば図４(ａ)に示すバリエーションでは、火廻りユニット２及び作業スペースユニット３を選択するとともに、冷蔵庫１０、収納１１、洗面ユニット１２を別途用意して、台所２０の一壁面２０ａに沿って火廻りユニット２及び作業スペースユニット３を横並びに設置し、一壁面２０ａに対向する他壁面２０ｂに沿って冷蔵庫１０と収納１１を横並びに設置し、さらに火廻りユニット２に隣接するようにして、洗面所２１の一壁面２１ａに沿って洗面ユニット１２を設置している。なお、このように洗面ユニット１２や収納１１を別途組み合わせて用いる場合、これらを機能別ユニット１〜７と共通意匠としておけば、デザイン性を高めることができる。
【００２０】
図４(ｂ)に示すバリエーションでは、作業スペースユニット３、食器洗浄機ユニット４及び家電収納ユニット５を選択するとともに、冷蔵庫１０を別途用意して、台所２０の略中央に食器洗浄機ユニット４及び家電収納ユニット５を一纏めにしてアイランド状に設置するとともに、台所２０の一壁面２０ａに沿って作業スペースユニット３と冷蔵庫１０を横並びに設置している。
【００２１】
図４(ｃ)に示すバリエーションでは、水場ユニット１と作業スペースユニット３を選択するとともに、ダイニングテーブル１３を別途用意して、台所２０の略中央にこれらをＬ字型に一纏めにしてアイランド状に設置している。このとき、水場ユニット１において水栓等の配置によって前後位置がある場合でも、側方や後方からでも水場ユニット１を使用することができ、フレキシブルな対応が可能となっている。
【００２２】
すなわち、上記ユニット型キッチンでは、洗面ユニット１２や収納１１等を組み合わせながら、ベーシックな２列配置キッチンからアイランドキッチンといった様々なプランバリエーション展開が可能となっている。従って、単身世帯、高齢者世帯増加に向けて、住宅コンポーネント機器の考え方を洗面、キッチン、収納といった現在の常識で画一的に計画するのではなく、必要機能を必要箇所の考えで合理的に計画することができる(住宅コンポーネント機器のボーダレス思想)。
【００２３】
また、上記ユニット型キッチンでは、図５に示すように機能別ユニット１〜７を適宜付加したり、図６に示すように機能別ユニット１〜７を適宜複合化することで、付加価値の高い機能バリエーション展開が可能となっている。なお、図５は、作業スペースユニット３を追加した例を示しており、図６は、ゴミ箱ユニット７に家電収納ユニット５を積み重ねた例を示している。
【００２４】
このように、上記ユニット型キッチンにおいては、１つの基本機能を備えた機能別ユニット１〜７を最小単位として、これら機能別ユニット１〜７を選択的に組み合わせ、さらには機能別ユニット１〜７を適宜付加したり複合化することで、居住者の生活スタイルや好みに応じて様々なプランバリエーションや機能バリエーションの展開が可能となっており、個性化、多様化する居住者ニーズに柔軟に対応することができる。
【００２５】
また、アパートの居住者入れ換え時におけるメンテナンスにおいても、キッチン一式を取り替える必要はなく、機能別ユニット１〜７単位で更新することができ、ランニングコストを抑えて、アパートオーナーの負担を軽減することができる。さらには、加熱調理器２ａや食器洗浄機４ａ、家電機器５ａ等の新機種への対応が、キッチン全体ではなく、機能別ユニット１〜７単位で可能となる。
【００２６】
さらに、機能別ユニット１〜７の寸法形状を統一したことによって、図７に示すように、機能別ユニット１〜７の運搬に際して共通の梱包材３０を用いて品種を削減でき、今後の梱包材３０のリターナブル化を促進することができる。なお、図７(ａ)は、梱包材３０によって水場ユニット１を梱包した例を示しており、図７(ｂ)は、同じ梱包材３０によって火廻りユニット２を梱包した例を示している。
【００２７】
この発明は、上記実施形態に限定されるものではなく、この発明の範囲内で上記実施形態に多くの修正及び変更を加え得ることは勿論である。例えば、この発明のユニット型キッチンは、アパート向けに限定されるものではなく、例えば戸建て住宅向けやマンション向けとして用いるようにしても良い。また、機能別ユニットとしては、上記種類のものだけに限定されるものではなく、種類をさらに増やしたり、或いは、減らしたりしても良い。
【図面の簡単な説明】
【００２８】
【図１】この発明の一実施形態に係るユニット型キッチンの機能別ユニットを示す正面図である。
【図２】水場ユニットの斜視図である。
【図３】作業スペースユニットの斜視図である。
【図４】ユニット型キッチンのプランバリエーション展開例を示す図である。
【図５】作業スペースユニットを追加した例を示す図である。
【図６】ゴミ箱ユニットに家電収納ユニットを積み重ねた例を示す図である。
【図７】共通の梱包材を用いた梱包例を示す図である。
【符号の説明】
【００２９】
１・・水場ユニット、１ａ・・シンク、２・・火廻りユニット、２ａ・・加熱調理器、３・・作業スペースユニット、３ａ・・作業台、４・・食器洗浄機ユニット、４ａ・・食器洗浄機、５・・家電収納ユニット、５ａ・・家電製品、６・・一般収納ユニット、７・・ゴミ箱ユニット、７ａ・・ゴミ箱
【図１】
2008099934.tif 000003
【図２】
2008099934.tif 000004
【図３】
2008099934.tif 000005
【図４】
2008099934.tif 000006
【図５】
2008099934.tif 000007
【図６】
2008099934.tif 000008
【図７】
2008099934.tif 000009